(57)【要約】      （修正有）【課題】    安全に使用することができる知能化制御コンセントシステムを提供する。【解決手段】    コンセント機能モジュールセットと接続するＺｉｇＢｅｅ（登録商標）モジュールセットとＬＡＮ主制御装置とマンマシンオペレーションプラットフォームとを含み、コンセント機能モジュールセットとＺｉｇＢｅｅモジュールセットはＵＳＢ通信を通じて接続し、ＺｉｇＢｅｅモジュールセットとＬＡＮ主制御装置がＺｉｇＢｅｅ無線を通じて接続して通信し、ＬＡＮ主制御装置とマンマシンオペレーションプラットフォームがＷＩＦＩ、ＧＰＲＳ通信を通じ接続する。【選択図】図１
0003179820.tif 000002
【実用新案登録請求の範囲】
【請求項１】
コンセント機能モジュールセット（１）を含む知能化制御コンセントシステムであって、前記システムもまた順番通りコンセント機能モジュールセット（１）と接続するＺｉｇＢｅｅ(登録商標)モジュールセット（２）とＬＡＮ主制御装置（３）とマンマシンオペレーションプラットフォーム（４）とを含み、コンセント機能モジュールセット（１）とＺｉｇＢｅｅモジュールセット（２）はＵＳＢ通信を通じて接続し、ＺｉｇＢｅｅ(登録商標)モジュールセット（２）とＬＡＮ主制御装置（３）がＺｉｇＢｅｅ(登録商標)無線を通じて接続して通信し、ＬＡＮ主制御装置（３）とマンマシンオペレーションプラットフォーム（４）がＷＩＦＩ、ＧＰＲＳ通信を通じ接続することを特徴とする知能化制御コンセントシステム。
【請求項２】
前記コンセント機能モジュールセット（１）は、液晶表示モジュールと、保護、及び、電源切断モジュールと、外部通信ポートとを含むことを特徴とする請求項１に記載の知能化制御コンセントシステム。
【請求項３】
前記液晶表示モジュールは、負荷電流の表示モジュールと、給電電圧の表示モジュールと、消費電力の表示モジュールと、総使用電力量の表示モジュールとを含むことを特徴とする請求項２に記載の知能化制御コンセントシステム。
【請求項４】
前記保護、及び、電源切断モジュールは、過電流保護モジュールと、過電圧保護モジュールと、過昇温保護モジュールとを含むことを特徴とする請求項３に記載の知能化制御コンセントシステム。
【請求項５】
前記外部通信ポートは、外部負荷制御設備と接続して通信するＵＳＢ通信インターフェースと、前記ＺｉｇＢｅｅ(登録商標)モジュールセット（２）と接続して通信するＵＳＢ通信インターフェースとを含むことを特徴とする請求項４に記載の知能化制御コンセントシステム。
【請求項６】
前記ＺｉｇＢｅｅ(登録商標)モジュールセット（２）の外部にＵＳＢ通信コネクタが設けられ、前記ＵＳＢ通信コネクタを通じて上りが前記ＬＡＮ主制御装置（３）に接続し、下りが前記コンセント機能モジュールセット（１）に接続することを特徴とする請求項５に記載の知能化制御コンセントシステム。
【請求項７】
前記ＺｉｇＢｅｅ(登録商標)モジュールセット（２）と前記ＬＡＮ主制御装置（３）は、ＺｉｇＢｅｅ(登録商標)無線を通じて接続して通信し、前記ＺｉｇＢｅｅ(登録商標)無線が８０２．１５．４プロトコルとすることを特徴とする請求項６に記載の知能化制御コンセントシステム。 
【請求項８】
前記ＬＡＮ主制御装置（３）にＺｉｇＢｅｅ(登録商標)とＷｉＦｉの通信プロトコル変換装置と、ＺｉｇＢｅｅ(登録商標)とＧＰＲＳの通信プロトコル変換装置と、液晶表示のＬＡＮ操作インターフェースとが設けられ、前記ＬＡＮ主制御装置（３）に更にシリアル通信ポートと、ＷＩＦＩ、ＧＰＲＳの無線接点とが設けられることを特徴とする請求項７に記載の知能化制御コンセントシステム。
【請求項９】
前記マンマシンオペレーションプラットフォーム（４）は、（公序良俗違反につき、不掲載）システムと、（公序良俗違反につき、不掲載）システムと、（公序良俗違反につき、不掲載）制御プラットフォームとを含むことを特徴とする請求項８に記載の知能化制御コンセントシステム。 
【考案の詳細な説明】
【技術分野】
【０００１】
本考案は、コンセントに関し、特に、知能化制御コンセントシステムに関する。
【背景技術】
【０００２】
知能化コンセントの外観及び結線方法は、従来のコンセントに類似しているが、従来のコンセントの機能を実現する以外に、例えばコンセントの電流、電圧、電力量、有効電力などの電力使用データを収集でき、無線方式でデータを伝送し、且つデータ保存の機能も有する。
【０００３】
知能化コンセントとは、一個以上の回路接続線が差し込むことができるプラグ受けで、これを通じて各種接続線を差し込んでその他回路と導通できる。日々家電のバラエティー化と多様化に伴い、家庭用コンセントは更に複数個の差込口を備えたテーブルタップの方向に向かっている。現在のテーブルタップは商用電源コンセントをいくつか作用に変換するだけではなく、電気使用設備を保護し、更に電気使用設備の機能を制御する。
【０００４】
現在市場の知能化コンセントのタイプが非常に多く、機能も日増しにバラエティー化してきている。知能化制御技術を従来のコンセント内に融合することで、家電の安全な制御、身体と財産に対する保護を実現し、電気エネルギーの無駄削減及び利用者が更に簡単に家電を操作するという問題を解決し、電源コンセント市場の益々高い安全要求を満たす。
【考案の概要】
【考案が解決しようとする課題】
【０００５】
そこで、本考案は従来技術に存在する不足を克服し、ＺｉｇＢｅｅ(登録商標)とＷＩＦＩ技術の組み合わせを通じ、また多機能の制御モードにより、コンセントの電流、電圧、電力等の使用状況に対しより一層良好な制御を行い、またコンセントを安全に使用させることができる知能化制御コンセントシステムを提供することを目的とする。
【課題を解決するための手段】
【０００６】
上記目的を達成するため、本考案に係る技術的思想は、つまりコンセント機能モジュールセットを含む知能化制御コンセントシステムであって、前記システムもまた順番通りコンセント機能モジュールセットと接続するＺｉｇＢｅｅ(登録商標)モジュールセットとＬＡＮ主制御装置とマンマシンオペレーションプラットフォームとを含み、コンセント機能モジュールセットとＺｉｇＢｅｅ(登録商標)モジュールセットはＵＳＢ通信を通じて接続し、ＺｉｇＢｅｅ(登録商標)モジュールセットとＬＡＮ主制御装置がＺｉｇＢｅｅ(登録商標)無線を通じて接続して通信し、ＬＡＮ主制御装置とマンマシンオペレーションプラットフォームがＷＩＦＩ、ＧＰＲＳ通信を通じ接続することにある。
【０００７】
更に、前記コンセント機能モジュールセットは、液晶表示モジュールと、保護及び電源切断モジュールと、外部通信ポートとを含む。
【０００８】
更に、前記の液晶表示モジュールは、負荷電流の表示モジュールと、給電電圧の表示モジュールと、消費電力の表示モジュールと、総使用電力量の表示モジュールとを含む。
【０００９】
更に、前記保護及び電源切断モジュールは、過電流保護モジュールと、過電圧保護モジュールと、過昇温保護モジュールとを含む。
【００１０】
更に、前記外部通信ポートは、外部負荷制御設備と接続して通信するＵＳＢ通信インターフェースと、ＺｉｇＢｅｅ(登録商標)モジュールセットと接続して通信するＵＳＢ通信インターフェースとを含む。
【００１１】
更に、前記ＺｉｇＢｅｅ(登録商標)モジュールセットの外部にＵＳＢ通信コネクタが設けられ、ＵＳＢ通信コネクタを通じて上りがＬＡＮ主制御装置に接続し、下りがコンセント機能モジュールセットに接続する。
【００１２】
更に、前記ＺｉｇＢｅｅ(登録商標)モジュールセットとＬＡＮ主制御装置は、ＺｉｇＢｅｅ無線を通じて接続して通信し、ＺｉｇＢｅｅ(登録商標)無線が８０２．１５．４プロトコルとする。
【００１３】
更に、前記ＬＡＮ主制御装置にＺｉｇＢｅｅ(登録商標)とＷｉＦｉ通信プロトコル変換装置と、ＺｉｇＢｅｅ(登録商標)とＧＰＲＳ通信プロトコル変換装置と、液晶表示のＬＡＮ操作インターフェースとが設けられる。ＬＡＮ主制御装置に更にシリアル通信ポートと、ＷＩＦＩ、ＧＰＲＳ無線接点とが設けられる。
【００１４】  （公序良俗違反につき、不掲載）
【考案の効果】
【００１５】  （公序良俗違反につき、不掲載）
【考案を実施するための形態】
【００１６】
以下、本考案の目的、技術的特徴及び長所を更に明確に分かりやすくするため、実施例を添付図面に基づいて説明する。
【００１７】
本考案の原理ブロック図の図１を参照しながら説明する。図１に示すように、知能化制御コンセントシステムはコンセント機能モジュールセット１を含み、前記システムもまた順番通りコンセント機能モジュールセット１と接続するＺｉｇＢｅｅ(登録商標)モジュールセット２とＬＡＮ主制御装置３とマンマシンオペレーションプラットフォーム４とを含む。コンセント機能モジュールセット１とＺｉｇＢｅｅ(登録商標)モジュールセット２はＵＳＢ通信を通じて接続し、ＺｉｇＢｅｅ(登録商標)モジュールセット２とＬＡＮ主制御装置３がＺｉｇＢｅｅ(登録商標)無線を通じて接続して通信し、ＬＡＮ主制御装置３とマンマシンオペレーションプラットフォーム４がＷＩＦＩ、ＧＰＲＳ通信を通じ接続する。
【００１８】
更に、前記コンセント機能モジュールセット１は、液晶表示モジュールと、保護及び電源切断モジュールと、外部通信ポートとを含む。
【００１９】
更に、前記液晶表示モジュールは、負荷電流の表示モジュールと、給電電圧の表示モジュールと、消費電力の表示モジュールと、総使用電力量の表示モジュールとを含む。
【００２０】
更に、前記保護及び電源切断モジュールは、過電流保護モジュールと、過電圧保護モジュールと、過昇温保護モジュールとを含む。
【００２１】
更に、前記外部通信ポートは、外部負荷制御設備と接続して通信するＵＳＢ通信インターフェースと、ＺｉｇＢｅｅ(登録商標)モジュールセット２と接続して通信するＵＳＢ通信インターフェースとを含む。
【００２２】
更に、前記ＺｉｇＢｅｅ(登録商標)モジュールセット２の外部にＵＳＢ通信コネクタが設けられ、ＵＳＢ通信コネクタを通じて上りがＬＡＮ主制御装置３に接続し、下りがコンセント機能モジュールセット１に接続する。
【００２３】
更に、前記ＺｉｇＢｅｅ(登録商標)モジュールセット２とＬＡＮ主制御装置３は、ＺｉｇＢｅｅ無線を通じて接続して通信し、ＺｉｇＢｅｅ無線が８０２．１５．４プロトコルとする。
【００２４】
更に、前記ＬＡＮ主制御装置３にＺｉｇＢｅｅ(登録商標)とＷｉＦｉの通信プロトコル変換装置と、ＺｉｇＢｅｅ(登録商標)とＧＰＲＳの通信プロトコル変換装置と、液晶表示のＬＡＮ操作インターフェースとが設けられる。ＬＡＮ主制御装置３に更にシリアル通信ポートと、ＷＩＦＩ、ＧＰＲＳの無線接点とが設けられる。
【００２５】  （公序良俗違反につき、不掲載）
【００２６】
コンセント機能モジュールセット１には、負荷電流の表示と給電電圧の表示と消費電力の表示と総使用電力量の表示とを備える液晶表示機能と、過電流保護と過電圧保護と過昇温保護とを備える保護及び電源切断機能と、外部制御設備と通信するＵＳＢ通信インターフェースとＺｉｇｂｅｅ(登録商標)モジュールと接続するＵＳＢ通信インターフェースとを備える外部通信ポートとを含み、ＺＥＧＢＥＥ無線の制御とデータ収集を実現する。
【００２７】
ＺｉｇＢｅｅ(登録商標)モジュールセット２には、上りは無線で主制御装置に接続し、下りがＵＳＢで制御されるコンセントに接続し、データとコマンドを転送し、設備間の通信を中継し、通信制御範囲を拡大する実現機能と、外部インターフェースと、ＵＳＢ通信コネクタとを含む。
【００２８】
ＬＡＮ主制御装置３は、下りが８０２．１５．４Ｚｉｇｂｅｅ(登録商標)とｚｅｇｂｅｅモジュール通信、上りがＷＩＦＩ  ８０２．１１ｘプロトコル通信でＷＩＦＩに接続する通信方法と、Ｚｅｇｂｅｅとｗｉｆｉ通信プロトコル変換と、Ｚｉｇｂｅｅ(登録商標)とＧＰＲＳ通信プロトコル変換と、ＬＡＮ制御プラットフォームを通じてｚｉｇｂｅｅ(登録商標) ＬＡＮ設備を手動制御と設置できるマンマシン操作インターフェースを有する液晶表示のＬＡＮ操作インターフェースと、シリアル通信ポートと、ＷＩＦＩ、ＧＰＲＳ無線接点とを備える設備インターフェースとを含む。
【００２９】  （公序良俗違反につき、不掲載）
【００３０】
マンマシンオペレーションプラットフォーム４のインターフェース機能は、下記の通りとする。
【表１】
0003179820.tif 000003
【００３１】
本考案は制御システムについて集積化・モジュール化を行い、ＵＳＢ通信機能付き知能化コンセントと、ｚｉｇｂｅｅ(登録商標)をＵＳＢに変換するモジュールと、ｚｉｇｂｅｅ(登録商標)とｗｉｆｉ、ＧＰＲＳ通信プロトコル変換モジュールと、ＷＩＦＩとＧＰＲＳ通信に対応するクライアントターミナル操作インターフェースとを備える。
【００３２】  （公序良俗違反につき、不掲載）
【００３３】
以上の内容においてなされた具体的な実施形態は、あくまでも本考案の技術内容を明らかにするものであって、そのような具体例にのみ限定して狭義に解釈されるべきものではなく、本考案の思想から逸脱しないという前提の下で、当業者は行う種々の改良変更をなし得ることは本考案の実用新案登録請求の範囲内に含めるものであるのが勿論である。
【図面の簡単な説明】
【００３４】
【図１】本考案の原理ブロック図である。
【符号の説明】
【００３５】
１  コンセント機能モジュールセット
２  ＺｉｇＢｅｅモジュールセット
３  ＬＡＮ主制御装置
４  マンマシンオペレーションプラットフォーム
0003179820.tif 000004
【手続補正書】
【提出日】平成24年9月6日(2012.9.6)
【手続補正１】
【補正対象書類名】実用新案登録請求の範囲
【補正対象項目名】全文
【補正方法】変更
【補正の内容】
【実用新案登録請求の範囲】
【請求項１】
コンセント機能モジュールセット（１）を含む知能化制御コンセントシステムであって、前記システムはコンセント機能モジュールセット（１）と接続するＺｉｇＢｅｅ(登録商標)モジュールセット（２）とＬＡＮ主制御装置（３）とマンマシンオペレーションプラットフォーム（４）とを含み、コンセント機能モジュールセット（１）とＺｉｇＢｅｅモジュールセット（２）はＵＳＢ通信を通じて接続し、ＺｉｇＢｅｅモジュールセット（２）とＬＡＮ主制御装置（３）がＺｉｇＢｅｅ無線を通じて接続して通信し、ＬＡＮ主制御装置（３）とマンマシンオペレーションプラットフォーム（４）がＷＩＦＩ、ＧＰＲＳ通信を通じ接続することを特徴とする知能化制御コンセントシステム。
【請求項２】
前記コンセント機能モジュールセット（１）は、液晶表示モジュールと、保護及び電源切断モジュールと、外部通信ポートとを含むことを特徴とする請求項１に記載の知能化制御コンセントシステム。
【請求項３】
前記液晶表示モジュールは、負荷電流の表示モジュールと、給電電圧の表示モジュールと、消費電力の表示モジュールと、総使用電力量の表示モジュールとを含むことを特徴とする請求項２に記載の知能化制御コンセントシステム。
【請求項４】
前記保護及び電源切断モジュールは、過電流保護モジュールと、過電圧保護モジュールと、過昇温保護モジュールとを含むことを特徴とする請求項３に記載の知能化制御コンセントシステム。
【請求項５】
前記外部通信ポートは、外部負荷制御設備と接続して通信するＵＳＢ通信インターフェースと、前記ＺｉｇＢｅｅモジュールセット（２）と接続して通信するＵＳＢ通信インターフェースとを含むことを特徴とする請求項４に記載の知能化制御コンセントシステム。
【請求項６】
前記ＺｉｇＢｅｅモジュールセット（２）の外部にＵＳＢ通信コネクタが設けられ、前記ＵＳＢ通信コネクタを通じて上りが前記ＬＡＮ主制御装置（３）に接続し、下りが前記コンセント機能モジュールセット（１）に接続することを特徴とする請求項５に記載の知能化制御コンセントシステム。
【請求項７】
前記ＺｉｇＢｅｅモジュールセット（２）と前記ＬＡＮ主制御装置（３）は、ＺｉｇＢｅｅ無線を通じて接続して通信し、前記ＺｉｇＢｅｅ無線が８０２．１５．４プロトコルとすることを特徴とする請求項６に記載の知能化制御コンセントシステム。 
【請求項８】
前記ＬＡＮ主制御装置（３）にＺｉｇＢｅｅとＷｉＦｉの通信プロトコル変換装置と、ＺｉｇＢｅｅとＧＰＲＳの通信プロトコル変換装置と、液晶表示のＬＡＮ操作インターフェースとが設けられ、前記ＬＡＮ主制御装置（３）に更にシリアル通信ポートと、ＷＩＦＩ、ＧＰＲＳの無線接点とが設けられることを特徴とする請求項７に記載の知能化制御コンセントシステム。
【手続補正２】
【補正対象書類名】明細書
【補正対象項目名】全文
【補正方法】変更
【補正の内容】
【考案の詳細な説明】
【技術分野】
【０００１】
本考案は、コンセントに関し、特に、知能化制御コンセントシステムに関する。
【背景技術】
【０００２】
知能化コンセントの外観及び結線方法は、従来のコンセントに類似しているが、従来のコンセントの機能を実現する以外に、例えばコンセントの電流、電圧、電力量、有効電力などの電力使用データを収集でき、無線方式でデータを伝送し、且つデータ保存の機能も有する。
【０００３】
知能化コンセントとは、一個以上の回路接続線が差し込むことができるプラグ受けで、これを通じて各種接続線を差し込んでその他回路と導通できる。日々家電のバラエティー化と多様化に伴い、家庭用コンセントは更に複数個の差込口を備えたテーブルタップの方向に向かっている。現在のテーブルタップは商用電源コンセントをいくつか作用に変換するだけではなく、電気使用設備を保護し、更に電気使用設備の機能を制御する。
【０００４】
現在市場の知能化コンセントのタイプが非常に多く、機能も日増しにバラエティー化してきている。知能化制御技術を従来のコンセント内に融合することで、家電の安全な制御、身体と財産に対する保護を実現し、電気エネルギーの無駄削減及び利用者が更に簡単に家電を操作するという問題を解決し、電源コンセント市場の益々高い安全要求を満たす。
【考案の概要】
【考案が解決しようとする課題】
【０００５】
そこで、本考案は従来技術に存在する不足を克服し、ＺｉｇＢｅｅ(登録商標)とＷＩＦＩ技術の組み合わせを通じ、また多機能の制御モードにより、コンセントの電流、電圧、電力等の使用状況に対しより一層良好な制御を行い、またコンセントを安全に使用させることができる知能化制御コンセントシステムを提供することを目的とする。
【課題を解決するための手段】
【０００６】
上記目的を達成するため、本考案に係る技術的思想は、つまりコンセント機能モジュールセットを含む知能化制御コンセントシステムであって、前記システムはコンセント機能モジュールセットと接続するＺｉｇＢｅｅモジュールセットとＬＡＮ主制御装置とマンマシンオペレーションプラットフォームとを含み、コンセント機能モジュールセットとＺｉｇＢｅｅモジュールセットはＵＳＢ通信を通じて接続し、ＺｉｇＢｅｅモジュールセットとＬＡＮ主制御装置がＺｉｇＢｅｅ無線を通じて接続して通信し、ＬＡＮ主制御装置とマンマシンオペレーションプラットフォームがＷＩＦＩ、ＧＰＲＳ通信を通じ接続することにある。
【０００７】
更に、前記コンセント機能モジュールセットは、液晶表示モジュールと、保護及び電源切断モジュールと、外部通信ポートとを含む。
【０００８】
更に、前記の液晶表示モジュールは、負荷電流の表示モジュールと、給電電圧の表示モジュールと、消費電力の表示モジュールと、総使用電力量の表示モジュールとを含む。
【０００９】
更に、前記保護及び電源切断モジュールは、過電流保護モジュールと、過電圧保護モジュールと、過昇温保護モジュールとを含む。
【００１０】
更に、前記外部通信ポートは、外部負荷制御設備と接続して通信するＵＳＢ通信インターフェースと、ＺｉｇＢｅｅモジュールセットと接続して通信するＵＳＢ通信インターフェースとを含む。
【００１１】
更に、前記ＺｉｇＢｅｅモジュールセットの外部にＵＳＢ通信コネクタが設けられ、ＵＳＢ通信コネクタを通じて上りがＬＡＮ主制御装置に接続し、下りがコンセント機能モジュールセットに接続する。
【００１２】
更に、前記ＺｉｇＢｅｅモジュールセットとＬＡＮ主制御装置は、ＺｉｇＢｅｅ無線を通じて接続して通信し、ＺｉｇＢｅｅ無線が８０２．１５．４プロトコルとする。
【００１３】
更に、前記ＬＡＮ主制御装置にＺｉｇＢｅｅとＷｉＦｉ通信プロトコル変換装置と、ＺｉｇＢｅｅとＧＰＲＳ通信プロトコル変換装置と、液晶表示のＬＡＮ操作インターフェースとが設けられる。ＬＡＮ主制御装置に更にシリアル通信ポートと、ＷＩＦＩ、ＧＰＲＳ無線接点とが設けられる。
【００１４】
更に、前記マンマシンオペレーションプラットフォームは、携帯情報端末用プラットホームシステムと、組み込みプラットホームシステムと、タブレット型コピュータ制御プラットフォームとを含む。
【考案の効果】
【００１５】
既存技術と対比して、本考案の有益な効果は、とＷＩＦＩが持つ各自の特徴を組み合わせ、Ｚｉｇｂｅｅ技術（８０２．１５．４）で構築したＬＡＮ、ＷＩＦＩ（８０２．１１ｘ）技術とＧＰＲＳ技術の携帯電話を利用してリモートリンクし、該制御システムは、１．ＷＩＦＩ  ＡＤ−ＨＯＣ ＬＡＮ携帯電話による制御、２．ＷＩＦＩ＋ＡＰ方式の携帯電話によりインターネットを通じてリモート制御、３．ＧＰＲＳ携帯電話によるリモート制御という３種類の制御モードを有する。クライアントターミナルプラットフォームは、携帯情報端末用プラットホームシステムと、組み込みプラットホームシステムの２種類の携帯電話プラットフォーム、タブレット型コピュータ制御プラットフォームに適する。ＺｉｇＢｅｅとＷＩＦＩ技術の組み合わせを通じて、多機能制御モードにより、コンセントの電流、電圧、電力等の使用状況についてより一層良好な制御を行い、コンセントを安全的に使用させることができる。本考案は制御システムについて集成化・モジュール化を行い、ＵＳＢ通信機能付き知能化コンセントと、ｚｉｇｂｅｅをＵＳＢに変換するモジュールと、ｚｉｇｂｅｅとｗｉｆｉ、ＧＰＲＳ通信プロトコル変換モジュールと、ＷＩＦＩとＧＰＲＳ通信に対応するクライアントターミナルの操作インターフェースとを備える。
【考案を実施するための形態】
【００１６】
以下、本考案の目的、技術的特徴及び長所を更に明確に分かりやすくするため、実施例を添付図面に基づいて説明する。
【００１７】
本考案の原理ブロック図の図１を参照しながら説明する。図１に示すように、知能化制御コンセントシステムはコンセント機能モジュールセット１を含み、前記システムもまた順番通りコンセント機能モジュールセット１と接続するＺｉｇＢｅｅモジュールセット２とＬＡＮ主制御装置３とマンマシンオペレーションプラットフォーム４とを含む。コンセント機能モジュールセット１とＺｉｇＢｅｅモジュールセット２はＵＳＢ通信を通じて接続し、ＺｉｇＢｅｅモジュールセット２とＬＡＮ主制御装置３がＺｉｇＢｅｅ無線を通じて接続して通信し、ＬＡＮ主制御装置３とマンマシンオペレーションプラットフォーム４がＷＩＦＩ、ＧＰＲＳ通信を通じ接続する。
【００１８】
更に、前記コンセント機能モジュールセット１は、液晶表示モジュールと、保護及び電源切断モジュールと、外部通信ポートとを含む。
【００１９】
更に、前記液晶表示モジュールは、負荷電流の表示モジュールと、給電電圧の表示モジュールと、消費電力の表示モジュールと、総使用電力量の表示モジュールとを含む。
【００２０】
更に、前記保護及び電源切断モジュールは、過電流保護モジュールと、過電圧保護モジュールと、過昇温保護モジュールとを含む。
【００２１】
更に、前記外部通信ポートは、外部負荷制御設備と接続して通信するＵＳＢ通信インターフェースと、ＺｉｇＢｅｅモジュールセット２と接続して通信するＵＳＢ通信インターフェースとを含む。
【００２２】
更に、前記ＺｉｇＢｅｅモジュールセット２の外部にＵＳＢ通信コネクタが設けられ、ＵＳＢ通信コネクタを通じて上りがＬＡＮ主制御装置３に接続し、下りがコンセント機能モジュールセット１に接続する。
【００２３】
更に、前記ＺｉｇＢｅｅモジュールセット２とＬＡＮ主制御装置３は、ＺｉｇＢｅｅ無線を通じて接続して通信し、ＺｉｇＢｅｅ無線が８０２．１５．４プロトコルとする。
【００２４】
更に、前記ＬＡＮ主制御装置３にＺｉｇＢｅｅとＷｉＦｉの通信プロトコル変換装置と、ＺｉｇＢｅｅとＧＰＲＳの通信プロトコル変換装置と、液晶表示のＬＡＮ操作インターフェースとが設けられる。ＬＡＮ主制御装置３に更にシリアル通信ポートと、ＷＩＦＩ、ＧＰＲＳの無線接点とが設けられる。
【００２５】
更に、前記マンマシンオペレーションプラットフォーム４は、携帯情報端末用プラットホームシステムと、組み込みプラットホームシステムと、タブレット型コピュータ制御プラットフォームとを含む。
【００２６】
コンセント機能モジュールセット１には、負荷電流の表示と給電電圧の表示と消費電力の表示と総使用電力量の表示とを備える液晶表示機能と、過電流保護と過電圧保護と過昇温保護とを備える保護及び電源切断機能と、外部制御設備と通信するＵＳＢ通信インターフェースとＺｉｇｂｅｅモジュールと接続するＵＳＢ通信インターフェースとを備える外部通信ポートとを含み、ＺＥＧＢＥＥ無線の制御とデータ収集を実現する。
【００２７】
ＺｉｇＢｅｅモジュールセット２には、上りは無線で主制御装置に接続し、下りがＵＳＢで制御されるコンセントに接続し、データとコマンドを転送し、設備間の通信を中継し、通信制御範囲を拡大する実現機能と、外部インターフェースと、ＵＳＢ通信コネクタとを含む。
【００２８】
ＬＡＮ主制御装置３は、下りが８０２．１５．４Ｚｉｇｂｅｅとｚｅｇｂｅｅモジュール通信、上りがＷＩＦＩ  ８０２．１１ｘプロトコル通信でＷＩＦＩに接続する通信方法と、ｚｅｇｂｅｅとｗｉｆｉ通信プロトコル変換と、ＺｉｇｂｅｅとＧＰＲＳ通信プロトコル変換と、ＬＡＮ制御プラットフォームを通じてｚｉｇｂｅｅＬＡＮ設備を手動制御と設置できるマンマシン操作インターフェースを有する液晶表示のＬＡＮ操作インターフェースと、シリアル通信ポートと、ＷＩＦＩ、ＧＰＲＳ無線接点とを備える設備インターフェースとを含む。
【００２９】
マンマシンオペレーションプラットフォーム４のタイプには、携帯情報端末用プラットホームシステムのインターネット検索エンジン携帯電話、組み込みプラットホームシステムの携帯電話を含み、例えば中国語、英語に対応するスマートフォン、タブレット型コンピュータ等である。
【００３０】
マンマシンオペレーションプラットフォーム４のインターフェース機能は、下記の通りとする。
【表１】
0003179820.tif 000005
【００３１】
本考案は制御システムについて集積化・モジュール化を行い、ＵＳＢ通信機能付き知能化コンセントと、ｚｉｇｂｅｅをＵＳＢに変換するモジュールと、ｚｉｇｂｅｅとｗｉｆｉ、ＧＰＲＳ通信プロトコル変換モジュールと、ＷＩＦＩとＧＰＲＳ通信に対応するクライアントターミナル操作インターフェースとを備える。
【００３２】
本考案は、ＺｉｇｂｅｅとＷＩＦＩが持つ各自の特徴を組み合わせ、Ｚｉｇｂｅｅ技術（８０２．１５．４）で構築したＬＡＮ、ＷＩＦＩ（８０２．１１ｘ）技術とＧＰＲＳ技術の携帯電話を利用してリモートリンクし、該制御システムは、１．ＷＩＦＩ  ＡＤ−ＨＯＣ ＬＡＮ携帯電話による制御、２．ＷＩＦＩ＋ＡＰ方式の携帯電話によりインターネットを通じてリモート制御、３．ＧＰＲＳ携帯電話によるリモート制御という３種類の制御モードを有する。クライアントターミナルプラットフォームは、携帯情報端末用プラットホームシステム、組込みプラットホームの２種類の携帯電話プラットフォーム、タブレット型コンピュータ制御プラットフォームに適する。
【００３３】
以上の内容においてなされた具体的な実施形態は、あくまでも本考案の技術内容を明らかにするものであって、そのような具体例にのみ限定して狭義に解釈されるべきものではなく、本考案の思想から逸脱しないという前提の下で、当業者は行う種々の改良変更をなし得ることは本考案の実用新案登録請求の範囲内に含めるものであるのが勿論である。
【図面の簡単な説明】
【００３４】
【図１】本考案の原理ブロック図である。
【符号の説明】
【００３５】
１  コンセント機能モジュールセット
２  ＺｉｇＢｅｅモジュールセット
３  ＬＡＮ主制御装置
４  マンマシンオペレーションプラットフォーム
【手続補正３】
【補正対象書類名】図面
【補正対象項目名】全図
【補正方法】変更
【補正の内容】
【図１】
0003179820.tif 000006